(57)【要約】【課題】グリップ部材の把持感触がよく、滑り止め効果が向上するとともに、筆記先端部が振れ難く、筆感を感じ易いノック式筆記具を提供する。【解決手段】把持部にグリップ部材を装着した軸筒本体内に、コイルスプリングにより軸筒後端側に付勢して収納した筆記体の筆記先端部を軸筒先端開口部より出没可能とした出没機構を具備してなるノック式筆記具において、前記軸筒本体の把持部に、貫通孔を、周方向に適宜間隔を空けて複数個、形成し、前記グリップ部材に設けた内方突起部が、前記貫通孔を通過し、軸筒内に延出するように装着するとともに、前記インキ収容筒の外壁に、前記筆記先端部が没入時は非接触で、前記筆記先端部の突出時に、前記内方突起部と当接する、当接部を設けたことを特徴とする。【選択図】          図１
2010099915.tif 000002
【特許請求の範囲】
【請求項１】
把持部にグリップ部材を装着した軸筒本体内に、コイルスプリングにより軸筒後端側に付勢して収納した筆記体の筆記先端部を軸筒先端開口部より出没可能とした出没機構を具備してなるノック式筆記具において、前記軸筒本体の把持部に、貫通孔を、周方向に適宜間隔を空けて複数個、形成し、前記グリップ部材に設けた内方突起部が、前記貫通孔を通過し、軸筒内に延出するように装着するとともに、前記インキ収容筒の外壁に、前記筆記先端部が没入時は非接触で、前記筆記先端部の突出時に、前記内方突起部と当接する、当接部を設けたことを特徴とするノック式筆記具。
【請求項２】
前記インキ収容筒の外壁に、前記筆記先端部が突出時は非接触で、前記筆記先端部の没入時に、前記貫通孔に対向するグリップ部材と当接する、前方当接部を設けたことを特徴とする請求項１に記載のノック式筆記具。
【発明の詳細な説明】
【技術分野】
【０００１】
本発明は、把持部にグリップ部材を装着した軸筒本体内に、コイルスプリングにより軸筒後端側に付勢して収納した筆記体の筆記先端部を軸筒先端開口部より出没可能とした出没機構を具備してなるノック式筆記具に関する。
【背景技術】
【０００２】
従来から、ノック体を押圧することにより、ボールペンレフィル等の筆記体の筆記先端部を軸筒や口先部材の先端開口部より出没させる回転カムによる出没機構を具備したノック式筆記具については、よく知られている。
【０００３】
こうした、ノック式筆記具においては、筆記先端部をスムーズに出没するために、軸筒や口先部材の先端開口部の内径と、筆記先端部の外径とに径差を設けているが、この径差が筆記時にガタ付きを生じる原因となっている。
【０００４】
そのため、実開平５−８５６８３号公報「筆記先端部の振れ防止装置」や実開平５−９３８８４号「筆記先端部の振れ防止装置」等に、軸筒や口先部材の先端開口部の内径と、筆記先端部の外径とに径差を無くすために、Ｏリング等の弾性体を配設する構造が開示されている。
【０００５】
ところで、グリップ部材を握った時の把持感触を向上させる技術として、実開平７−１５３７３号号「軸体のグリップ」や実開平７−３７６８０号「軸体のグリップ装置」等で、軸筒の把持部とグリップ部材の内壁面とに空隙を設けることで、グリップ部材の変形量を多くすることが開示されている。
【０００６】
また、軟らかいフィット感を出す機能の向上を得るために、特開平１１−１３９０７０号「筆記具の軸」では、軸筒本体の把持部に、内部への貫通穴を形成し、この貫通孔を塞ぐようにグリップ部材を装着することで、貫通穴内部への変形を可能とした筆記具の軸筒が開示されている。
【特許文献１】「実開平５−８５６８３号公報」
【特許文献２】「実開平５−９３８８４号公報」
【特許文献３】「実開平７−１５３７３号公報」
【特許文献４】「実開平７−３７６８０号公報」
【特許文献５】「特開平１１−１３９０７０号公報」
【発明の開示】
【発明が解決しようとする課題】
【０００７】
しかし、特許文献１、２は、弾性体によって、筆記先端部の振れを抑制することはできるが、抑制力を高くするには、軸筒や口先部材の先端開口部に配設した弾性体の内径よりも、筆記先端部の外径を大きくして圧入することが考えられるが、筆記先端部をスムーズに出没することができなくなるという問題があった。
【０００８】
また、特許文献３、４、５は、把持感触や滑り止め効果が向上することはできるが、筆記先端部の振れによって、筆感が低下するという問題があった。
【０００９】
本発明の目的は、グリップ部材の把持感触がよく、滑り止め効果が向上するとともに、筆記先端部が振れ難く、筆感を感じ易いノック式筆記具を提供することである。
【課題を解決するための手段】
【００１０】
本発明は、把持部にグリップ部材を装着した軸筒本体内に、コイルスプリングにより軸筒後端側に付勢して収納した筆記体の筆記先端部を軸筒先端開口部より出没可能とした出没機構を具備してなるノック式筆記具において、前記軸筒本体の把持部に、貫通孔を、周方向に適宜間隔を空けて複数個、形成し、前記グリップ部材に設けた内方突起部が、前記貫通孔を通過し、軸筒内に延出するように装着するとともに、前記インキ収容筒の外壁に、前記筆記先端部が没入時は非接触で、前記筆記先端部の突出時に、前記内方突起部と当接する、当接部を設けたことを特徴とする。
【００１１】
また、前記インキ収容筒の外壁に、前記筆記先端部が突出時は非接触で、前記筆記先端部の没入時に、前記貫通孔に対向するグリップ部材と当接する、前方当接部を設けたことを特徴とする。
【発明の効果】
【００１２】
本発明は、グリップ部材の把持感触がよく、滑り止め効果が向上するとともに、筆記先端部が振れ難く、筆感を感じ易いノック式筆記具を提供することができた。
【発明を実施するための最良の形態】
【００１３】
次に図面を参照しながら、本発明のノック式筆記具に関する実施の形態を説明するが、本発明は以下の実施の形態に限定されるものではない。
【００１４】
図１から５に示す実施の形態１のノック式筆記具１は、軸筒２の先端部に口先部材３を螺着し、軸筒２の後端部に内鞘４を装着して軸筒本体を構成し、この内鞘４内に、回転カム６を前後に摺動案内し回転させるためのカム溝（図示せず）を形成してある。
【００１５】
回転カム６は、突起をカム溝に係合し、回転カム６の後方には、回転カム６と連動し、回転カム６に回転力を付与するカム部（図示せず）を有するノック体５を、後端部が内鞘４の後端より外方に突出した状態に配設してある。
【００１６】
また、回転カム６の前方には、インキ収容筒８の先端にボールを回転自在に抱持したボールペンチップからなる筆記先端部９を装着し、内部に筆記具用インキ（図示せず）を直に収容した筆記体を、口先部材３の内壁と、他のインキ収容筒の外径よりも径大とした前方当接部１１間に配設したコイルスプリング１２により内鞘４の後端方向へ付勢して、摺動自在に配設してある。また、軸筒２の把持部にはグリップ部材７を配設し、内鞘４にはクリップ１３を一体に形成してある。
【００１７】
筆記先端部９を口先部材３の先端開口部３ａから突出させる出没機構は、コイルスプリング１２によって、間接的に内鞘４後端側へ付勢して配設したノック体５を指等で押圧し、ノック体５と連動する回転カム６を口先部材３の先端開口部３ａ方向に前進させ、筆記先端部９の突出した状態を維持することができる、従来から知られている回転カムによる出没機構である。
【００１８】
軸筒２の把持部には、貫通孔２ａを、適宜間隔を空けて周方向の異なる位置に６箇所、形成してあり、この貫通孔２ａを閉鎖し、軸筒の内壁よりも内側に延出するようにグリップ部材７の内方突起部７ａを係合して装着してある。
【００１９】
筆記先端部９が突出時には、軸筒２内に伸びる内方突起部７ａと、インキ収容筒８の外壁に圧着した、周状に膨出した当接部１０とが当接する。また、筆記先端部９の没入時は、インキ収容筒８の外壁、且つ当接部１０より筆記先端部９側に形成した、コイルスプリング１２を係止する前方当接部１１と内方突起部７ａとが当接する。
【００２０】
筆記先端部９が突出時に、内方突起部７ａに対向する位置のグリップ部材７を把持すると、指の押圧力（図５の矢印Ｇ方向）によって、内方突起部７ａは、軸筒２の内方方向に変形するため、グリップ部材７の把持感触及び滑り止め効果を向上することができる。
【００２１】
また、内方突起部７ａに対向する位置のグリップ部材７を把持した時の指の押圧力（図５の矢印Ｇ方向）による、内方突起７ａの軸筒２の内方方向への変形によって、予め、内方突起７ａとインキ収容筒８との圧入代がなくても、インキ収容筒８を抑える力を付与することができ、口先部材３の先端開口部３ａの内径Ｌと、筆記先端部９の外径Ｍとの径差が生じても筆記体の振れを抑制することができる。特に振れが大きい筆圧の高い時には、把持力も高くなるので、インキ収容筒８を抑える力を高くすることができる。
【００２２】
さらにまた、筆記先端部９が没入時には非接触で、突出時に内方突起部７ａと当接部１０とが当接することによって、筆記先端部９の出没時の作動をスムーズにすることができるとともに、筆記時には、グリップ部材７を介して筆記体の動きが伝わるため、筆感を感じやすくする効果を奏する。
【００２３】
また、筆記先端部９の没入時に、インキ収容筒８の外壁、且つ当接部１０より筆記先端部９側に形成した、前方当接部１１と内方突起部７ａとが当接することによって、筆記先端部９の没入時に発生する衝撃を吸収することができる。尚、当接部１０と前方当接部１１を軸方向で離間して形成し、筆記先端部９が突出時は非接触で、筆記先端部９の没入時に、前方当接部１１と内方突起部７ａとが当接するため、出没時への影響は少ないために、出没作動を阻害することなく実現することができる。
【００２４】
貫通孔２ａの数や形状は、特に限定されるものではないが、筆記時に、親指、人差し指、中指の３本が当接することを考慮して、貫通孔２ａを周方向で３箇所以上形成することが最も好ましい。
【００２５】
尚、本実施例では便宜上、予め成形したグリップ部材７を軸筒２の把持部に装着してあるが、軸筒２と二色成形により一体に形成してもよい。また、透明又は半透明のグリップ部材７とすることで、軸筒２内のインキ収容筒内のインキ色やインキ残量を外部から視認することができる。
【００２６】
また、本実施例では便宜上、筆記先端部９が突出時に、軸筒２内に伸びる内方突起部７ａと当接する当接部１０を、インキ収容筒８の外壁に、周状に圧着しているが、当接部１０の形状も特に限定されるものではなく、インキ収容筒８に一体又は付設してあってもよい。また当接部１０は、筆記先端部９が没入時に非接触で、筆記先端部９が突出時に、軸筒２内に伸びる内方突起部７ａと当接する構造であれば、インキ収容筒８及び／又は軸筒２を筆記先端部９側に向かって縮径する構造等としあってもよい。
【産業上の利用可能性】
【００２７】
本発明のノック式筆記具は、インキやペン先の種類、出没機構に限定されるものではないので、ノック式筆記具として広く利用可能である。
【図面の簡単な説明】
【００２８】
【図１】実施の形態１のノック式筆記具を示す、縦断面図である。
【図２】図１における筆記先端部を没入した状態を示す図である。
【図３】図１における、一部省略した拡大図である。
【図４】図２における、一部省略した拡大図である。
【図５】図１における、筆記体を省略したＡ−Ａ拡大断面図である。
【符号の説明】
【００２９】
１  ノック式筆記具
２  軸筒
３  口先部材
３ａ  先端開口部
４  内鞘
５  ノック体
６  回転カム
７  グリップ部材
７ａ  内方突起部
８  インキ収容筒
９  筆記先端部
１０  当接部
１１  前方当接部
１２  コイルスプリング
【図１】
2010099915.tif 000003
【図２】
2010099915.tif 000004
【図３】
2010099915.tif 000005
【図４】
2010099915.tif 000006
【図５】
2010099915.tif 000007